(57)【要約】【課題】使用者による付け替えが容易に、かつ確実に実施でき、特には内側容器の密閉性が確実に維持され、さらには使い捨てとなる部分を低コストで提供できる付け替え型二重容器を提供する。【解決手段】外殻を形成する外容体と、内容液を収納する内容体と、中央部を開口した頂壁有し、外筒片と内筒片を有する二重円筒状で、外容体と内容体を組付ける組付きキャップと、内容体の口筒部に密に組み付く注出ポンプを有すること、組付きキャップの外筒片と外容体上端部および内筒片と内容体の口筒部との間にそれぞれ、相対的な回動により斜面を利用した締め込み状の第１組付き部および第２組付き部を形成すること、組付きキャップ体と外容体および内容体の間にそれぞれ、第１組付き部および第２組付き部の緩み止め機能を有する第１乗越え係止部および第２乗越え係止部を形成すること、にある。【選択図】                図５
2004352327.tif 000002
【特許請求の範囲】
【請求項１】
外殻を形成する外容体（１）と、内容液を収納する内容体（２）と、
中央部を開口した頂壁（２８）有し、外筒片（２３）と内筒片（２４）を有する二重円筒状で、前記外容体（１）と内容体（２）を組み付ける組付きキャップ（２１）と、前記内容体（２）の口筒部（６）に密に組み付く注出ポンプ（４１）を有し、前記組付きキャップ（２１）の外筒片（２３）と外容体（１）上端部および内筒片（２４）と内容体（２）の口筒部（６）との間にそれぞれ、相対的な回動により斜面を利用した締め込み状の第１組付部（Ｆ１）および第２組付け部（Ｆ２）を形成し、前記組付きキャップ（２１）と外容体（１）および内容体（２）の間にそれぞれ前記第１組付き部（Ｆ１）および第２組付け部（Ｆ２）の緩み止め機能を有する第１乗越え係止部（Ｋ１）および第２乗越え係止部（Ｋ２）を形成して成る付け替え型二重容器。
【請求項２】
ブロー成形され、薄肉の胴部（５）を有する内容体（２）を使用した請求項１記載の付け替え型二重容器。
【請求項３】
内容体（２）を内キャップ体（２２）を介して組付きキャップ（２１）に組付ける構成とし、内キャップ体（２２）が、前記内容体（２）の口筒部（６）が嵌入して組み付き固定する円筒状の組付き筒（３３）を有し、該組付き筒（３３）の外側に外鍔周片（３０）を介して内容体（２）を掴持するための掴持筒（３４）を付設して成る請求項１または２記載の付け替え型二重容器。
【請求項４】
内容体（２）と内筒片（２４）との第２組付き部（Ｆ２）を螺合により形成した請求項１、２または３記載の付け替え型二重容器。
【請求項５】
外容体（１）と外筒片（２３）との第１組付き部（Ｆ１）を半周以下の相対的な回動により組付き可能に構成した請求項１、２、３または４記載の付け替え型二重容器。
【請求項６】
外容体（１）の上端部外周面および外筒片（２３）内周面にそれぞれ一対一に対向する複数個の傾斜突条片（８，２７）を付設し、該傾斜突条片（８，２７）の側面を斜面として第１組付き部（Ｆ１）を形成した請求項５記載の付け替え型二重容器。
【請求項７】
外筒片（２３）の外周面に複数個の突片（２９）を付設し、外容体（１）内周面上端部に、下端面に傾斜面（９ａ）を有し該傾斜面（９ａ）の下端部に係止凹部（９ｂ）が形成された斜面形成部（９）を前記突片（２９）に対向する位置に同数付設し、組付きキャップ（２１）と外容体（１）の相対回動により前記突片（２９）が傾斜面（９ａ）に沿って下降し、係止凹部（９ｂ）に乗り越え係止する構成とし、前記突片（２９）と斜面形成部（９）で第１組付き部（Ｆ１）および第１乗越え係止部（Ｋ１）を形成した請求項５記載の付け替え型二重容器。
【請求項８】
第１乗越え係止部（Ｋ１）あるいは第２乗越え係止部（Ｋ２）を形成する少なくとも一方の係止部分を、乗り越え係止および脱係止が容易になるように、変形可能に形成した請求項１、２、３、４、５、６または７記載の付け替え型二重容器。
【発明の詳細な説明】
【０００１】
【産業上の利用分野】
本発明は、外殻を形成する外容体と、内容液を収納する薄肉の胴部を有する内容体とからなる合成樹脂製の付け替え型二重容器に関する。
【０００２】
【従来の技術】
たとえば特許文献１には、特には高級化粧液等に使用する外容器と中容器からなる合成樹脂製二重容器に関する記載があり、中容器を自己形状保持能力の高い外側容器内に肉薄な内側容器を積層した積層容器として、さらに注出ポンプを取り付けて、内容液の注出に伴なって内側容器が変形し、外部の空気が内側容器に侵入しない構成として、内容液の進入空気による変質を抑制する構造としている。
【０００３】
一方、最近に至って、環境問題、省資源の観点から、繰り返し利用できる容器、あるいは廃棄量を少しでも少なくする方法が、商品に対して要求されるようになっており、上記のような多くの部材から構成される二重容器についてみると、たとえば内側容器を付け替えて他の部材は繰り返し可能な構成であることが求められている。
【０００４】
【特許文献１】
特開平１０−５９３５７号公報
【０００５】
【発明が解決しようとする課題】
しかしながら、上記のような要請すなわち付け替え可能な容器とするためには使用者による付け替えが容易に、かつ確実に実施できること、特には内側容器の密閉性が確実に維持されること、さらには使い捨てとなる内側容器を低コストで提供できること等が要求される。
【０００６】
本発明は上述のごとき課題を解決しようとするものであって、その課題は、使用者による付け替えが容易に、かつ確実に実施でき、内側容器の密閉性が確実に維持され、さらには使い捨てとなる部分を低コストで提供できる付け替え型二重容器を提供することにある。
【０００７】
【課題を解決するための手段】
上記技術的課題を解決する本発明の内、請求項１記載の発明の手段は、
外殻を形成する外容体と、内容液を収納する内容体と、中央部を開口した頂壁を有し、外筒片と内筒片を有する二重円筒状で、外容体と内容体を組付ける組付きキャップと、内容体の口筒部に密に組み付く注出ポンプを有すること、
組付きキャップの外筒片と外容体上端部および内筒片と内容体の口筒部との間にそれぞれ、相対的な回動により斜面を利用した締め込み状の第１組付き部および第２組み付き部を形成すること、
組付きキャップ体と外容体および内容体の間にそれぞれ第１組付き部および第２組付き部の緩み止め機能を有する第１乗越え係止部および第２乗越え係止部を形成すること、
にある。
【０００８】
請求項１記載の発明の上記構成の付け替え型二重容器は、内容体を組付きキャップから外すことにより、少なくとも内容体を付け替えて使用できる。また、内容体の口筒部に取り付けた注出ポンプにより内容液を注出すると薄肉である胴部が内容液の減少に伴って萎み（減容）変形し、外部空気の進入が無いので、内容液の変質を抑制すると共に、内容体に空気溜りができないので容器の姿勢に拠らず内容液のスムーズな注出が可能となる。
【０００９】
また外殻を形成する外容体は組付きキャップを介して内容体を外装し、使用時における容器の掴持等の取り扱い性、安全性、自立性を確保すると共に、外観を良好に維持する機能を発揮する。
【００１０】
ここで、組付きキャップの外筒片と外容体上端部および内筒片と内容体の口筒部との間にそれぞれ、相対的な回動により斜面を利用した締め込み状の第１組付き部および第２組付き部を形成することにより、斜面を利用した締め込みであるので、使用者の通常の力により、組付きキャップに外容体あるいは内容体を確実に組付けることができると共に、下述の乗越え係止部における乗り越え係止を容易に達成することができる。
【００１１】
また、組付きキャップ体と外容体および内容体の間にそれぞれの組付き部の緩み止め機能を有する第１乗越え係止部および第２乗越え係止部を形成することにより、締め込み状態を確実に維持確保することができると共に、乗り越え係止時における手の感触あるいは音により使用者に確実に組み付きがなされたことを認識せしめることができる。
【００１２】
また、組付きキャップからの外容体あるいは内容体の取り外しは、乗越え係止部を脱係止させて取り外すが、意識して比較的大き目の力を作用させる必要があるので、誤って取り外すことを防止することができる。
【００１３】
このようにして、組付きキャップの外筒片と外容体上端部および内筒片と内容体の口筒部との間にそれぞれ、相対的な回動により斜面を利用した締め込み状の組付き部を形成すると共に、組付きキャップ体と外容体および内容体の間にそれぞれ組付き部の緩み止め機能を有する乗越え係止部を形成することにより、組付きキャップ体と外容体および内容体の組付けおよび取り外しを容易に達成することができると共に、組付きキャップ体と内容体の確実で緩みのない組付きを利用して注出ポンプを内容体の口筒部に取り付けて、その密閉性を確実に維持することができる。
【００１４】
請求項２記載の発明の手段は、請求項１記載の発明において、ブロー成形され、薄肉の胴部を有する内容体を使用すること、にある。
【００１５】
請求項２記載の上記構成により、ブロー成形では、組付きキャップに組み付けられる口筒部を肉厚にして十分組み付きに耐える剛性を確保しながら、胴部を自在な萎み変形可能に十分薄肉に成形することができるので、高生産性で、安価に必要十分な機能を発揮する形状の内容体を提供することができる。
【００１６】
請求項３記載の発明の手段は、請求項１または２記載の発明において、
内容体が内キャップ体を介して組付きキャップに組付ける構成とすること、
内キャップ体を内容体の口筒部が嵌入して組み付き固定する円筒状の組付き筒を有し、組付き筒の外側に外鍔周片を介して内容体を掴持するための掴持筒を付設して成ること、
にある。
【００１７】
内容体の胴部は薄肉であるが、請求項３記載の上記構成により、内容体と内キャップ体を一体にして取り扱うことができ、特には内キャップ体の径の大きな掴持筒を手で掴持して十分力をかけて組付きキャップとの相対的な回動操作を実施することができるので、内容体の密閉状態をより確実に確保することができると共に、組付きキャップと内容体の脱係止も容易にでき、より簡単に取り外すことができる。
【００１８】
請求項４記載の発明の手段は、請求項１、２または３記載の発明において、内容体と内筒片との第２組付き部を螺合により形成したこと、にある。
【００１９】
請求項４記載の上記構成は、斜面を利用した締め込み状の組付き部を螺合により形成したものであり、螺合により内容体と内筒片との締め込み状の組み付きを確実に実施でき、その結果内容体の密封性をより確実に達成することができる。
【００２０】
請求項５記載の発明の手段は、請求項１、２、３または４記載の発明において、外容体と外筒片との間の第１組付き部を半周以下の相対的な回動により組付き可能に構成すること、にある。
【００２１】
請求項５記載の上記構成は、特に密閉性が要求されない外容体の組付きを、使用者の付け替え作業時における簡便性を考慮して構成したものであり、手による一ひねり状の回動操作で外容体の組み付けおよび取り外しを達成することができる。
【００２２】
請求項６記載の発明の手段は、請求項５記載の発明において、外容体の上端部外周面および外筒片内周面にそれぞれ一対一に対向する複数個の傾斜突条片を付設し、この傾斜突条片の側面を斜面として第１組付き部を形成することにある。
【００２３】
請求項６記載の上記構成により、たとえば等中心角度に４箇所に傾斜突条片を付設することにより、簡単な構造で、かつ一ひねり状の回動により確実に締め付け状の組み付けを達成することができる。
【００２４】
請求項７記載の発明の手段は、請求項５記載の発明において、
外筒片の外周面に複数個の突片を付設すること、
外容体内周面上端部に、下端面に傾斜面を有しこの傾斜面の下端部に係止凹部が形成された斜面形成部を突片に対向する位置に同数付設すること、
組付きキャップと外容体の相対回動により突片が傾斜面に沿って下降し、係止凹部に乗り越え係止する構成とすること、
突片と斜面形成部で第１組付き部および第１乗越え係止部を形成すること、
にある。
【００２５】
請求項７記載の上記構成は、突片と斜面形成部が組付き部と共に、乗越え係止部を形成する構成であり、他に緩み止めのための乗越え係止部を設ける必要が無く、突片の傾斜面に沿っての回動が終了すると同時に乗り越え係止が達成されるので、操作性および操作感の優れたものとなる。
【００２６】
請求項８記載の発明の手段は、請求項１、２、３、４、５、６または７記載の発明において、第１乗越え係止部および第２乗越え係止部を形成する少なくとも一方の係止部分を、乗り越え係止および脱係止が容易になるように、変形可能に形成すること、にある。
【００２７】
請求項８記載の上記構成により、乗り越え係止および脱係止を比較的小さな力で達成することができると共に、弾性的な変形により特には乗り越え係止時における音の発生も含む感触、所謂クリック感を明確に付与することができる。
【００２８】
【発明の実施の形態】
以下、本発明の実施の形態を、図面を参照しながら説明する。
図１〜図５は、本発明による付け替え型容器の第１実施例を示す。本実施例の容器は外容体１、内容体２、組付きキャップ２１および注出ポンプ４１の４ケの部材により構成され、内容体２が外容体１内に収納され、外容体１は第１組付き部Ｆ１により、内容体２は第２組付き部Ｆ２により組付きキャップ２１に組付き、外容体１と内容体２が組付きキャップ２１を介して組付き固定され、二重容器を形成する。
【００２９】
また、第１組付き部Ｆ１および第２組付き部Ｆ２に対して、組み付きの緩み止めの機能を発揮する第１乗越え係止部Ｋ１および第２乗越え係止部Ｋ２がそれぞれ形成されており、注出ポンプ４１は組付き部Ｆ２の締め付け力により密に内容体２の口筒部６に取り付けられる。
【００３０】
図２は外容体１を示す、（ａ）平面図と（ｂ）一部縦断正面図である。有底円筒状であり壁は比較的肉厚に成形されており、二重容器の外殻を形成するものであり、上端部には第１組付き部Ｆ１をを形成する傾斜突条片８が等中心角度に４箇所に付設されている。また、底壁には空気の流通のための小孔１４ａが形成されている。
【００３１】
また周壁の上端部には、左右両側にスリット１１ａを形成し、第１乗越え係止部Ｆ１の一方を形成する係止片１１ｂが等中心角度に４ヶ所に形成されている。この係止片１１ｂは比較的に肉薄であると共に、両側のスリット１１ａの作用により内外への変形が容易であり、第１乗越え係止部Ｋ１の乗り越え係止および脱係止を使用者が容易に実施できるようにしている。
【００３２】
図３は内容体２であり、ブロー成形されたものであり、円筒状の胴部５は萎み変形自在に薄肉に形成されている。また口筒部６上端部には第２組付き部Ｆ２を形成する螺条７が付設され、その下に第２乗越え係止部Ｋ２を形成する係止周条１６が付設されている。
【００３３】
図４は組付きキャップ２１であり、外容体１に組み付く外筒片２３と内容体２に組み付く内筒片２４を有し、また、外容体１の係止片１１ｂと第１乗越え係止部Ｋ１を形成する垂下係止短筒片２６と、内容体２の係止周条１６と第２乗越え係止部Ｋ２を形成する垂下係止筒片２５を頂壁２８から垂下設し、また頂壁２８の中央部に開口部３１を形成し、この開口部３１のを囲んで注出ポンプ４１をカバーするカバー筒片３２を立設した構造である。なお、垂下係止筒片２５の下端部には縦スリットを形成して、変形を容易にして第２乗越え係止部Ｋ２における乗り越え係止および脱係止を容易にしている。
【００３４】
また、外筒片２３の内周面の４箇所には傾斜突条片２７が付設され、外容体１の傾斜突条片８と共に、第１組付き部Ｆ１を形成し、内筒片２４の内周面には螺条３６が付設され、内容体２の口筒部６の螺条７と共に第２組付き部Ｆ２を形成する。また手による回動操作を容易にするため、外筒片２３の外周面には多数の凹部が形成されている。
【００３５】
以下、上述した４ケの部材より成る第１実施例の付け替え二重容器の組み立て状態、使用状態および特に内容体１の付け替え方法について説明する。（主として図５参照）
注出ポンプ４１のフランジ４３を、組付きキャプ２１の頂壁２８の開口部３１周縁部下面と内容体２の口筒部６上端面との間にパッキン４４を介して挟持し、内筒片２４と口筒部６を螺合すべく組付きキャップ２１と内容体２を第２乗越え係止部Ｋ２が形成されるまで相対回動させて、第２組付き部Ｆ２を形成する。
【００３６】
この際、垂下係止筒片２５の先端部の変形の回復時の、音の発生も伴った感触、所謂クリック感により使用者は組み付け操作を確実に実施したことを認識することができる。
【００３７】
また、螺合による締め付け力により注出ポンプ４１と口筒部６の組み付きの密封性が確保されると共に、第２乗越え係止部Ｋ２により締め付け力の緩みの発生を無くすことができ、この密封性を確実に維持することができる。
【００３８】
外容体２は、組付きキャップ２１の外筒片２３に組み付けられるが、第１組付き部Ｋ１は周上の４箇所に付設された傾斜突条片８、２７により形成されるので、中心角度９０°程度の回動により組み付けることができ、使用者にとって簡便に外容体１を組付けたり、取り外したりすることができると共に、第１乗越え係止部Ｋ１により組み付き状態を確実に維持することができる。なお、傾斜突条片８、２７の形成箇所は、本実施例の４箇所に限定されるものでなく、組み付き強度、操作の簡便性等を考慮して選択することができる。
【００３９】
このような組み立て状態で、注出ポンプ４１により内容液を注出して使用するが、内容液の減少分だけ内容体２の薄肉の胴部５が萎み変形（減容変形）するので、外部から空気が進入せず、内容液の品質の低下を抑制でき、また大きな空気溜りができないので容器の姿勢に拠らず安定した注出を達成することができる。
【００４０】
次に、内容体の付け替え操作においては、第１および第２乗越え係止部Ｋ１、Ｋ２の一方の係止部分を、変形の容易な係止片１１ｂおよび垂下係止筒片２５とすることにより、容易に脱係止させることができ、組付きキャップ２１から外容体１および内容体２を、斜面を利用した締め込み状の第１および第２組付き部Ｆ１、Ｆ２の逆方向への相対回動により、取り外すことができるので、内容液を収納した内容体２だけを付け替え部分とすることができ、他の３部材を繰り返し使用することが可能となる。
【００４１】
図６〜図１１は、本発明による付け替え型容器の第２実施例を示す。本実施例の容器は外容体１、内容体２、組付きキャップ２１、内キャップ２２および注出ポンプ４１の５ケの部材により構成されている。第１実施例に比較して、内キャップ体２２を介して組付きキャップ２１の内筒片２４と内容体２の口筒部６を組み付ける構成であり、詰め替え操作において、使用者が内容体２の取り外しをより容易にできるようにしたものである。
【００４２】
図７は外容体１を示す、（ａ）平面図と（ｂ）一部縦断正面図であるが、（ｃ）は底蓋１４の半縦断正面図であり、本実施例では底蓋１４を取り外し可能な構成としている。
【００４３】
また、上端部には第１組付き部Ｆ１と共に第１乗越え係止部Ｋ１を形成する、下端面に傾斜面９ａを有しこの傾斜面９ａの下端部に係止凹部９ｂが形成された斜面形成部９が等中心角度に４箇所に付設されている。また隣接する斜面形成部９の間には、後述する組付きキャップ２１の外筒片２３に付設される突片２９が通過するための切欠部１０が形成されている。
【００４４】
図８は内容体２であり、第１実施例の内容体２（図３参照）と略同様であるが、螺条はなく、後述する内キャップ体２２と乗越え係止状に組付くための係止周状１７が周設されている。
【００４５】
図９は組付きキャップ２１を示すものであり、外容体１に組み付く外筒片２３と後述する内キャップ体２２を介して内容体２に組み付く内筒片２４を有し、外筒片２３の外周面には外容体１の斜面形成体９と共に、第１組付き部Ｆ１および第１乗越え係止部Ｋ１を形成する小円柱状の突片２９を等中心角度の４箇所に付設した構成である。
【００４６】
図１０は内キャップ体２２を示すものであり、内容体２の口筒部６が嵌入して組み付き固定する円筒状の組付き筒３３を有し、この組付き筒３３の外側に外鍔周片３０を介して内容体２を掴持するための掴持筒３４および係止筒片３５を付設した構成であり、掴持筒３４の外周面には回動操作を容易にするためのローレットが形成されている。
【００４７】
組付き筒３３の外周面には螺条が付設され、組付きキャップ２１の内筒片２４の螺条と共に第２組付き部Ｆ２を形成し、また係止筒片３５は内筒片２４の外周面との間で第２乗越え係止部Ｋ２を形成する。
【００４８】
以下、上述した５ケの部材より成る第２実施例の付け替え二重容器においては、係止周状１７を組付き筒３３の上端面に係止させて、口筒部６に組付き筒３３を組付けた状態で、内筒片２４と組付き筒３３を螺合すべく組付きキャップ２１と内キャップ体２２を第２乗越え係止部Ｋ２が形成されるまで相対回動させて、第２組付き部Ｆ２を形成する。（主として図１１参照）
【００４９】
この際、組付きキャップ２１の外筒片２３と、内キャップ体２２の掴持筒３４を掴んで回動操作を行なうので、十分力を作用させることができ、第２組付き部Ｆ２および第２乗越え係止部Ｋ２の形成をより容易に実施できると共に、逆に脱係止を含めた内容体２の取り外し操作もより容易に実施することができる。
【００５０】
なお、本第２実施例では、内容体２と内キャップ体２２を一体化して付け替え部分として取り扱うのが便利であり、分別回収の点からは内容体２と内キャップ体２２は同一系統の樹脂で作成するのが好ましい。
【００５１】
また、本実施例では第１組付き部Ｆ１および第１乗越え係止部Ｋ１は外容体１の斜面形成部９と組付きキャップ２１の小円柱状の突片２９によって形成され、突片２９を外容体１の上端部の切欠部１０に位置合わせて、押し込み、さらに相対回動により突片２９が傾斜面９ａに沿って下降し、最終的に係止凹部９ｂに乗越え係止する（主として図７参照）ものであり、短距離の回動により組み付きを容易に達成できると共に、回動が終了すると同時に乗り越え係止が達成されるので、操作性および操作感の優れたものとなる。なお、斜面形成部９と突片２９の付設箇所は、本実施例の４箇所に限定されるものでなく、組み付き強度、操作の簡便性等を考慮して選択することができる。
【００５２】
図１２は外容体１の他の例を示すものであり、第１実施例におけるスリット１１ａ（図２参照）に替わって、等中心角度の４箇所に連結片１３ｂを残して周スリット１３ａを形成して、第１乗越え係止部Ｋ１の一方を形成する周壁の上端部を変形しやすく構成したものである。
【００５３】
図１３および図１４は第２実施例で示した内キャップ２２を部材に加えた構成における、第１乗越え係止部Ｋ１および第２乗越え係止部Ｋ２の組み合わせの他の例を示したものであり、図１３においては、外筒片２３の内周面上端部と外容体１の外周面上端部の間に第１乗越え係止部Ｋ１を形成するものであり、第２乗越え係止部Ｋ２は第２実施例と同様である。なおこの例では図１２で示される外容体１を使用している。
【００５４】
図１４の例は、第１乗越え係止部Ｋ１は第１実施例と同様であり、内キャップ体２２の組付き筒３３に付設した係止周状３３ａと内筒片２４の内周面下端部の間で第２乗越え係止部Ｋ２を形成したものである。なお、第１組付き部Ｆ１は第１実施例と同様である。
【００５５】
なお、勿論のことではあるが本願発明の構成は第１および第２実施例の構成に限定されるものではなく、たとえば図１２〜１４に示した乗越え係止部に係る例のように、乗越え係止部の形成は他にも各種の形態を選択することができ、また２つの組付き部および２つの乗越え係止部の各種構造を組み合わせて使用することができ、内キャップ体２２を使用するかどうかも含めて使用目的、製造コスト等を考慮して選択できるものである。
【００５６】
【発明の効果】
本発明は上記した構成となっているので、以下に示す効果を奏する。
請求項１記載の発明にあっては、組付きキャップと外容体および内容体との間にそれぞれ、相対的な回動により斜面を利用した締め込み状の組付き部を形成すると共に、それぞれの組付き部の緩み止め機能を有する乗越え係止部を形成することにより、組付きキャップ体と外容体および内容体の組付けおよび取り外しを容易かつ確実に達成することができると共に、注出ポンプの密封性を確実に確保することができる。
【００５７】
請求項２記載の発明にあっては、ブロー成形では、組付きキャップに組み付けられる口筒部を肉厚にして、十分組み付きに耐える剛性を確保しながら、胴部を自在な萎み変形可能に十分薄肉に成形することができるので、高生産性で、安価に必要十分な機能を発揮する形状の内容体を提供することができる。
【００５８】
請求項３記載の発明にあっては、内キャップ体の径の大きな掴持筒を手で掴持して十分力をかけて組付きキャップとの相対的な回動操作を実施することができるので、内容体の密封状態を確実に確保することができると共に、組付きキャップと内容体の脱係止も容易にでき、より簡単に取り外すことができる。
【００５９】
請求項４記載の発明にあっては、螺合により内容体と内筒片との締め込み状の組み付きを確実に達成でき、その結果内容体の密封性をより確実に達成することができる。
【００６０】
請求項５記載の発明にあっては、特に密閉性が要求されない外容体の組付きを、使用者の付け替え作業時における簡便性を考慮して構成したものであり、手による一ひねり状の回動操作で外容体の組み付けおよび取り外しを達成することができる。
【００６１】
請求項６記載の発明にあっては、たとえば等中心角度に４箇所に傾斜突条片を付設することにより、簡単な構造で、かつ一ひねり状の回動により確実に締め付け状の組み付けを達成することができる。
【００６２】
請求項７記載の発明にあっては、突片と斜面形成部により組付き部と共に、乗越え係止部を形成する構成であり、突片の傾斜面に沿っての回動が終了すると同時に乗り越え係止が達成されるので、操作性および操作感の優れたものとなる。
【００６３】
請求項８記載の発明にあっては、乗り越え係止および脱係止を比較的小さな力で達成することができると共に、弾性的な変形により特には乗り越え係止時における音の発生も伴った感触、所謂クリック感を明確に付与することができる。
【図面の簡単な説明】
【図１】本発明の第１実施例の容器を不規則に一部縦断して示す、正面図。
【図２】図１の容器の外容体を示す、（ａ）平面図および（ｂ）一部縦断正面図。
【図３】図１の容器の内容体を示す、正面図。
【図４】図１の容器の組付きキャップを示す、半縦断正面図。
【図５】図１の要部を拡大して示す、一部縦断正面図。
【図６】本発明の第２実施例の容器を不規則に一部縦断して示す、正面図。
【図７】図６の容器の外容体を底蓋を分解した状態で示す、（ａ）平面図、（ｂ）一部縦断正面図および（ｃ）底蓋の半縦断正面図。
【図８】図６の容器の内容体を示す、正面図。
【図９】図６の容器の組付きキャップを示す、半縦断正面図。
【図１０】図６の容器の内キャップ体を示す、半縦断正面図。
【図１１】図６の要部を拡大して示す、一部縦断正面図。
【図１２】外容体の他の例を示す、（ａ）平面図および（ｂ）半縦断正面図。
【図１３】乗越え係止部の他の例を不規則に一部縦断して示す、要部拡大正面図。
【図１４】乗越え係止部のさらに他の例を不規則に一部縦断して示す、要部拡大正面図。
【符号の説明】
１；外容体
２；内容体
４、５；胴部
６；口筒部
７；螺条
８；傾斜突条片
９；斜面形成部
９ａ；傾斜面
９ｂ；係止凹部
１０；切欠部
１１ａ；スリット
１１ｂ；係止片
１３ａ；周スリット
１３ｂ；連結片
１４；底蓋
１４ａ；小孔
１６、１７；係止周条
２１；組付きキャップ
２２；内キャップ
２３；外筒片
２４；内筒片
２５；垂下係止筒片
２６；垂下係止短筒片
２７；傾斜突条片
２８；頂壁
２９；突片
３０；外鍔周片
３１；開口部
３２；カバー筒片
３３；組付き筒
３３ａ；係止周条
３４；掴持筒
３５；係止筒片
３６；螺条
４１；注出ポンプ
４２；吸引管
４３；フランジ
４４；パッキン
Ｆ１；第１組付き部
Ｆ２；第２組付き部
Ｋ１；第１乗越え係止部
Ｋ２；第２乗越え係止部
【図１】
2004352327.tif 000003
【図２】
2004352327.tif 000004
【図３】
2004352327.tif 000005
【図４】
2004352327.tif 000006
【図５】
2004352327.tif 000007
【図６】
2004352327.tif 000008
【図７】
2004352327.tif 000009
【図８】
2004352327.tif 000010
【図９】
2004352327.tif 000011
【図１０】
2004352327.tif 000012
【図１１】
2004352327.tif 000013
【図１２】
2004352327.tif 000014
【図１３】
2004352327.tif 000015
【図１４】
2004352327.tif 000016